(57)【要約】      （修正有）【課題】液圧でクランプ可能なツールホルダ／工作物ホルダを提供する。【解決手段】本発明は、ツール又は工作物をクランプするためのクランプ部２を有する、ツール又は工作物を液圧でクランプするための装置、略して、ツールホルダ又は工作物ホルダ１に関し、そのクランプ部２の内部には、チャンネルシステム４によって流体連通するように接続された複数のチャンバ３を有する。液圧でクランプ可能なツール／工作物ホルダ１の動剛性の変化、特に、増加を可能とするために、さらに、中央スロットル点５が調整エレメント６とともにチャンネルシステム４に配置されることが提供され、それを使用して、中央スロットル点５の流れ断面７は変化させることができる。【選択図】図１
2020183031.tif 000002
【特許請求の範囲】
【請求項１】
ツール又は工作物をクランプするためのクランプ部（２）を有する、前記ツール又は前記工作物を液圧でクランプするための装置（１）であって、前記クランプ部（２）の内部が、チャンネルシステム（４）によって流体連通するように接続された複数のチャンバ（３）を有する、ツール又は工作物を液圧でクランプするための装置（１）において、
中央スロットル点（５）が、調整エレメント（６）とともに、前記チャンネルシステム（４）に配置され、それを使用して、前記中央スロットル点（５）の流れ断面（７）を変化させることができることを特徴とする、ツール又は工作物を液圧でクランプするための装置（１）。
【請求項２】
前記チャンバ（３）を接続する前記チャンネルシステム（４）が、複数の供給チャンネル（８）を有し、
前記複数の供給チャンネルのそれぞれが、いずれの場合にも、前記チャンバのうちの１つにのみつながり、
前記それぞれの供給チャンネルの第１の供給チャンネル端部が、ただ１つのチャンバで終わり、
前記それぞれの供給チャンネルの第２の供給チャンネル端部が、前記中央スロットル点で終わることを特徴とする、請求項１に記載のツール又は工作物を液圧でクランプするための装置（１）。
【請求項３】
前記調整エレメント（６）が、特に１つ又は複数の円錐部分（１８、１９）を有する調整ねじであり、及び／又は、
その断面が、前記中央スロットル点（５、５’）の断面より小さいことを特徴とする、請求項１又は２に記載のツール又は工作物を液圧でクランプするための装置（１）。
【請求項４】
前記中央スロットル点（５、５’）が円筒状キャビティであることを特徴とする、請求項１〜３のいずれか１項に記載のツール又は工作物を液圧でクランプするための装置（１）。
【請求項５】
複数のチャンバ（３及び３’）が、軸平面に、特に、周方向で均一に分布するように、及び／又は、ツール／工作物ホルダ１の長手方向軸（９）に対して同心円状に配置され、及び／又は、
前記チャンバ（３、３’）が、前記クランプ部（２）の複数の軸平面に配置されていることを特徴とする、請求項１〜４のいずれか１項に記載のツール又は工作物を液圧でクランプするための装置（１）。
【請求項６】
前記チャンバ（３、３’）が環状部の形状のキャビティであり、及び／又は、
供給チャンネル（８、８’）がボアであることを特徴とする、請求項１〜５のいずれか１項に記載のツール又は工作物を液圧でクランプするための装置（１）。
【請求項７】
前記中央スロットル点（５、５’）が、前記ボア（１１）を介して外部接続されており、
特に、前記スロットル点（５、５’）が、前記ボア（１１）を介して外部に対して気密に閉じられていることを特徴とする、請求項１〜６のいずれか１項に記載のツール又は工作物を液圧でクランプするための装置（１）。
【請求項８】
加算的に作成されたクランプ部（２）を特徴とする、請求項１〜７のいずれか１項に記載のツール又は工作物を液圧でクランプするための装置（１）。
【請求項９】
前記チャンネルシステム（４）による少なくとも２つのチャンネルシステム（４、４’）を特徴とし、
前記少なくとも２つのチャンネルシステム（４、４’）の前記少なくとも２つの中央スロットル点（５、５’）の前記流れ断面（７、７’）を、単一の共通調整エレメント（６）を使用して変えることができる、請求項１〜８のいずれか１項に記載のツール又は工作物を液圧でクランプするための装置（１）。
【請求項１０】
前記中央スロットル点（５）がクランプチャンバであり、及び／又は、
前記調整エレメント（６）が、前記液圧でクランプ可能なツール／工作物ホルダ（１）の液圧式クランプシステム（８）のクランプねじであることを特徴とする、請求項１〜９のいずれか１項に記載の、ツール又は工作物を液圧でクランプするための装置（１）。
【発明の詳細な説明】
【技術分野】
【０００１】
本発明は、ツール又は工作物をクランプするためのクランプ部を有する、ツール又は工作物を液圧でクランプするための装置、略して、ツールホルダ又は工作物ホルダに関し、そのクランプ部の内部は、チャンネルシステムによって流体連通するように接続された複数のチャンバを有する。
【背景技術】
【０００２】
シャンク側でチャックされるツールのシャンクは、ツールホルダの、通常、スリーブ部として具現化される環状独立部の中央受入開口への圧入によって保持されることが知られている。スリーブ部は、別の従来の設計のツールホルダのツール側端部を形成し、長手方向に、又は、ツールホルダの長手方向軸に沿って軸方向に延在する。回転ツール又はツールホルダの場合、長手方向軸は、ツールホルダの回転軸にも対応する。
【０００３】
さらにまた、ツールホルダのスリーブ部にチャックされるツールのシャンクを保持する前記圧入を実現するさまざまな可能性も知られている。
【０００４】
よって、第１の可能性によると、ツールホルダの前記スリーブ部は、加熱によって大きく径方向に広げることができるので、ツールの冷えたシャンクは、スリーブ部に押し込むことができる、又は、スリーブ部から引き抜くことができる。
【０００５】
スリーブ部を再び冷却するとすぐに、前記スリーブ部とツールのシャンクとの間に締まり嵌めが確立され、その締まり嵌めによって、ツールは、ツールホルダに確実に固定される（焼嵌め技術、たとえば、（特許文献１）参照）。
【０００６】
第２の代替形態は、いわゆる、コレットチャックを含み、それらにおいては、ツールシャンクは、外円錐が設けられ、相補的な円錐座に挿入され、結果として、閉鎖させるコレットによって、摩擦チャックするように保持される。
【０００７】
或いは、第３の可能性によると、ツールは、ツールホルダ、すなわちスリーブ部に液圧でチャックすることもできる。
【０００８】
このために、液圧式クランプ部材は、このような液圧でクランプ可能なツールホルダの前記スリーブ部内に配置され、前記液圧式クランプ部材は、たとえば、油などの液圧媒体によって増大させる／生じさせることができる液圧が加えられたとき、ツールシャンクのまわりに係合するその内径を減少させ、そうして、ツールシャンクを摩擦でチャックする。
【０００９】
このような液圧でクランプ可能なツールホルダは、たとえば、パンフレット（非特許文献１）で知られている。
【００１０】
この液圧でクランプ可能なツールホルダは、前記スリーブ部内の（そこでは全体的に（圧力）チャンバシステムと呼ばれる）チャンネルシステムによって流体連通するように接続された複数の、本事例では２つの、（圧力）チャンバの形態の液圧式クランプシステムを提供し、これは、そこでのツールのためのクランプ機能のために、以下でツールホルダのクランプ部とも呼ばれる。
【００１１】
２つの（圧力）チャンバは、クランプ部の内部に配置され、ツールホルダ／液圧式エキスパンションチャックの長手方向軸を中心とした周方向に、（液圧でクランプ可能なツールホルダの長手方向軸を基準として）中央受入開口を同軸状に取り囲み、（液圧でクランプ可能なツールホルダの長手方向軸に対して）互いに軸方向に隣り合う環状キャビティとして設計される。
【００１２】
２つの（圧力）チャンバは、２つのチャンバ間の環状間隙として同様に設計された接続チャンネルを介して、互いに流体連通するように接続、略して、流体接続しており、環状間隙は、ツールホルダ／液圧式エキスパンションチャックの長手方向軸を中心とした周方向に、同軸状にまわっている。受入開口のより近くに位置付けられたチャンバは、ツールホルダのクランプチャンバに圧力チャンネルを介して接続され、圧力は、（外側からねじ込むことができる）クランプねじ、及び、液圧媒体で満たされたチャンバシステムのクランプピストンによって増大させることができる。この圧力により、クランプ領域は、ツールシャンクに対して長手方向軸を基準に径方向内向きに曲がり、その結果、ツールシャンクは摩擦でチャックされる。
【先行技術文献】
【特許文献】
【００１３】
【特許文献１】欧州特許第１  ３５３  ７６８  Ｂ１号
【特許文献２】独国特許第１０  ２０１３  １０３  １６８  Ｂ３号
【非特許文献】
【００１４】
【非特許文献１】“TENDO, E compact, Das Hydro-Dehnspannfutter”(TENDO, E compact, The hydraulic expansion chuck, Superior clamping and gripping)
【発明の概要】
【発明が解決しようとする課題】
【００１５】
この種類の、又はこのようなチャンバシステムを有するこのような液圧式エキスパンションチャックの液圧でクランプ可能なツールホルダは、チャックされたツールに負荷がかけられるとき、曲がりやすいという欠点を有する。
【００１６】
すなわち、ツールに負荷をかけると、液圧媒体は、実質的にチャンバシステム内で大きな抵抗なしに、チャンネルシステムを介して「あちこち」流れることができる。
【００１７】
たとえば、ツールが横方向に移動した、又は、加工力によって傾斜した場合、チャンバの断面は、負荷の方向に狭くなり、負荷の反対方向に広くなる。同時に、別のチャンバの断面は反対方向に広くなる、又は、狭くなる。明確に述べると、液圧媒体は、ツールの移動に対する抵抗を与えることなく、チャンバシステムの一方の領域から他方の領域に流れる。この種類の、又はこのような液圧式エキスパンションチャックの液圧でクランプ可能なツールホルダのクランプ領域は曲がりやすく、その結果、それらは動剛性、すなわち、負荷の急速な変化の間に発生する剛性を失う。
【００１８】
前記液圧でクランプ可能なツールホルダのこのような動剛性の減少は、加工精度の低下とも関連する。
【００１９】
同じことは、本事例で工作物をクランプする、対応する液圧式クランプ部材を有する液圧でクランプ可能なツールホルダにもあてはまる。
【課題を解決するための手段】
【００２０】
本発明は、より高い動剛性及び加工精度が可能である液圧でクランプ可能なツールホルダ／工作物ホルダを提供する目的に基づく。
【００２１】
本目的は、独立請求項の特徴を有する、ツール又は工作物を液圧でクランプするための装置、略して、液圧でクランプ可能なツールホルダ又は液圧でクランプ可能な工作物ホルダによって達成される。本発明の有利な発展は、従属請求項の、及び以下の説明の主題である。
【００２２】
単純化するためにどちらも一般に以下では単に「ツールホルダ」と呼ばれる、液圧でクランプ可能なツールホルダ又は液圧でクランプ可能な工作物ホルダには、ツール又は工作物（単純化するためにどちらも一般に以下では単に「ツール」と呼ばれる）、たとえば、ドリルビット、ミリングカッタ、リーミングツール、又はカッタヘッドなどの回転ツール、或いは、（機械的に）処理される任意の物体をクランプするためのクランプ部が設けられ、そのクランプ部の内部には、チャンネルシステムによって流体連通するように接続された複数のチャンバを有する。
【００２３】
ここで、チャンバは、要望通りに、しかし、（明記できるスケールに従って）定められた方法で形づくられた、特に、少なくとも一時的に液圧媒体、たとえば、油を受け入れることが可能である（中空）空間を意味すると理解することができる。ツールホルダ／工作物ホルダ又はクランプ部の材料構造における不確定の点で発生する偶発的なシュリンクホール、微細構造孔、又は他の欠陥は、本発明の文脈内のチャンバにはあたらない。
【００２４】
よって、このようなチャンバは、たとえば、クランプ部内の環状キャビティとすることができ、前記キャビティは、周方向に環状部分の形状である又は閉じられており、好ましくは、クランプ部の完全な内部で、ツールホルダ／工作物ホルダの長手方向軸に対して同心円状に延びる。
【００２５】
このような複数のチャンバ、すなわち、２つ、３つ、４つ、又はさらに多くのチャンバが、ツールホルダ／工作物ホルダ内に設けられる。
【００２６】
チャンネルは、同様に、要望通りに、しかし、（明記できるスケールに従って）定められた方法で形成され、特に、少なくとも一時的に液圧媒体を受け入れることができ、ここでは、特に、液圧媒体を流れ方向に導く又は案内することもできる（中空）空間を意味すると理解することができる。
【００２７】
このようなチャンネルは、たとえば、クランプ部の内部のボア又は間隙とすることができ、前記ボア又は間隙は、半径方向及び／又は軸方向に延び、及び／又は、周方向に（少なくとも部分的に）取り囲む。
【００２８】
特に、ツールホルダ／工作物ホルダのこのようなチャンネルの断面は、小さくすることができる、又は、ツールホルダ／工作物ホルダのチャンバの断面に対して小さくすることができる。
【００２９】
チャンネルシステムのチャンネル経路がチャンバの間に省スペースに置かれる場合、それは特に好都合である（よって、その結果、ツールホルダ／工作物ホルダにおいて、細長い外輪郭を実現することができる）。
【００３０】
簡単にするために、チャンバ及びチャンネルシステムは、以下で全体としてチャンバシステムと呼ぶこともできる。
【００３１】
流体連通するようには、液圧媒体が（あちこちに）流れることができるネットワークをチャンバシステムが形成し、その内圧は、液圧式エキスパンションチャックの場合に知られているように、たとえば、クランプねじ／クランプピストンによって、集中制御又は集中設定することができる、ことを明確に意味し得る。
【００３２】
ここで、「軸方向」及び「径方向」及び「周方向」、「中心に」／「同心円状に」、並びに「取り囲む」などの使用される用語は、慣例的な理解に従って、ツールホルダ／工作物ホルダの長手方向軸に対して理解される。特に、回転可能なツールホルダ／工作物ホルダが含まれる場合、長手方向軸は、ツールホルダ／工作物ホルダの回転軸にも対応する。
【００３３】
クランプ部の内部に形成されるチャンバシステムは特に、閉じられた、すなわち、特に外部に対して気密であるシステムである。
【００３４】
特に、このようなチャンバ又はこのようなチャンバシステムは、液圧でクランプ可能なツールホルダ／工作物ホルダの液圧式クランプシステムの（圧力）チャンバシステムの一部とすることができる（液圧式エキスパンションチャック又は液圧でクランプ可能なクランプアーバ参照）。
【００３５】
中央スロットル点は、調整エレメントとともに、チャンネルシステムに配置され、それを使用して、中央スロットル点の流れ断面を能動的に変化させることができる（略して「（能動）調整可能スロットル」、「調整可能スロットル」）。
【００３６】
流れ断面は、調整エレメントによって、中央スロットル点内の／における複数の点で変化させることができることも提供することができる。
【００３７】
このような調整エレメントは、中央スロットル点又はスロットル点の断面（又は、スロットル点の複数の断面）に突出する、たとえば、ねじなどの要素とすることができる（よって、（その位置が変化した場合に）前記断面を変化させることが可能である）。中央スロットル点の弾性変形可能な壁でさえ、このような調整エレメントとすることができる。
【００３８】
ツールホルダ／工作物ホルダのこのような中央スロットル点は、特に、（液圧）媒体を受け入れることができる（中空）空間を意味すると理解することができ、中央スロットル点を介して、中央スロットル点に通じている供給チャンネルは、直接、流れ接続している。よって、前記中央スロットル点を介して、チャンバシステムのすべてのチャンバは、（間接的及び／又は直接的に）互いに流体接続もしている。
【００３９】
明確に述べると、液圧媒体、たとえば、油、特に、高粘度の油は、中央スロットル点を介してチャンバシステム内で（あちこちに）流れることができる。
【００４０】
このような中央スロットル点は、本事例では、たとえば、チャンバ、ボア、又は同様のものとすることもできる。中央スロットル点の断面は当然、小さいことが好都合である可能性がある。
【００４１】
特に、チャンネルシステムが複数の供給チャンネルを提供することも提供することができ、チャンネルシステムの複数の供給チャンネルのそれぞれは、いずれの場合にも、チャンバシステムのチャンバのうちの１つにのみつながる。それぞれの供給チャンネルの第１の供給チャンネル端部は、ただ１つのチャンバで終わり／開き、それぞれの供給チャンネルの第２の供給チャンネル端部は、中央スロットル点で終わる／開く（「個別の供給チャンネル」）。
【００４２】
簡単に且つ明確に述べると、チャンネルシステムによって接続された複数のチャンバの各チャンバは、チャンバを中央スロットル点に接続するだけの、又は、（中央接続点／交点と同様に）すべて中央スロットル点に通じている、その独自の個別の供給チャンネルを有する。
【００４３】
この手段によって、すなわち、チャンバのためのこのような個別の供給チャンネルによって、チャンバシステムのチャンバ間を（あちこち）流れる液圧媒体は、中央スロットル点を介して（強制的に）流される。
【００４４】
液圧でクランプ可能なツールホルダ／工作物ホルダは、（チャンバシステムが液圧媒体、たとえば油、特に、高粘度の油で満たされる場合に）調整エレメントによってもたらすことができる流れ断面の変化、特に、流れ断面の狭小化によって、液圧媒体、たとえば、油の流れ抵抗を中央スロットル点で変えることができる、特に、増加させることができる（「調整可能であるスロットル」）という考慮事項に基づく。
【００４５】
中央スロットル点でのこのような流れ抵抗の変化又は増加は、液圧でクランプ可能なツールホルダ／工作物ホルダの剛性の動的変化は又は剛性の増加に関連し、ツールホルダ／工作物ホルダのクランプ部を構成するチャンバは、それらのチャンネルシステムと、特に、各事例において、必然的に個別の供給チャンネルと、中央スロットル点を介して（流体）流れ接続している。
【００４６】
要するに、簡単に述べると、中央スロットル点の流れ断面を調整エレメントによって小さくすることができる場合、それによって、チャンバシステムの液圧媒体の流れ抵抗、よって、ツールホルダ／工作物ホルダの動剛性を増加させることが可能である。
【００４７】
さらに、その調整可能である流れ断面を有する中央スロットル点が、特に、個別の供給チャンネルの場合に、「強制される」狭い点である場合、それによって、減衰効果も生じる可能性がある。すなわち、ツールホルダ／工作物ホルダの対応する負荷（及び、たわみ）が発生し、液圧媒体がチャンバから中央スロットル点に押される、又は、そこへと流れる場合、狭い点での流れ断面のために、中央スロットル点に抵抗が生じる。液圧媒体は、前記流れ断面を通して押されなければならない。ここで、高い流速及び摩擦が生じ、そのために、エネルギを加えなければならない。このエネルギは、適用された移動（振動）から抽出される。油圧緩衝器の場合と同様に、減衰効果が生じる。たわみは減少する。
【００４８】
液圧媒体又は圧力媒体を使用することも好都合であることがあり、その粘性は、圧力及び／又は移動の発生時に増加する。
【００４９】
特に、複雑なチャンバシステムのため、クランプ部（又は、その実質的な部分）、特にチャンバシステムが、付加的な製造方法、たとえば、熱溶解積層法によって作成された又は作成されることは好都合である。
【００５０】
このような熱溶解積層法は、もともと粉末形態で一般に存在する金属材料のさらなる層が一般にレーザによって各前層上に融解又は焼結されるという事実によって、構成要素が層ごとに作成されるという点で特徴付けられる。
【００５１】
クランプ部は好ましくは、クランプ部（又は、実質的な部分、たとえば、局所的にのみ形成されるアンダーカット領域）が特定の形状を有するまで、たとえば、互いに連続的に加えられる個別の金属層から作り上げることができる。
【００５２】
ここで、クランプ部を形成する金属層は好ましくは、異なる金属又は異なるように合金にされた金属の混合物から溶融させることができる。
【００５３】
それによって、クランプ部の特定の領域は、特定の作業のための材料に関して改良することができる。よって、局所的に特に応力を加えられる点は、多くの場合高価であるこのような材料から等しくクランプ部全体を製造する必要なしに、増加した耐性を有する材料から製造することができ、及び／又は、消費時間の増加のみで所望の形状にすることができる。
【００５４】
その点の同様のものについても同じであり、たとえば、特に高い電気及び／又は磁気伝導率が予想される。たとえば、スリーブ部として具現化されるクランプ部は、交番磁界の影響の下で誘導的に熱を発生させることができる金属材料から構成される外側部分を設けることができ、前記スリーブ部は、その金属材料による１つの材料で外側部分に接続され、ツールの取付けを形成し、外側部分の材料よりも高い熱膨張を有する金属材料から構成される内側部分を得ることができる。
【００５５】
すなわち、金属層の組成は、金属層が特定の機械的特性及び／又は電気的特性及び／又は磁気的特性を局所的に有するように、単なる非現実的なものではなく、局所的に変化する。
【００５６】
供給チャンネルの断面がチャンバの断面に対して小さい場合も好都合である。（より広く、より大きなチャンバに対して）短い狭い供給チャンネルは好都合である。
【００５７】
すなわち、ツールホルダ／工作物ホルダ（そして、たわみ）の対応する負荷が発生し、次いで、液圧媒体がチャンバから狭い供給チャンネルに押された、又は、狭い供給チャンネルに流れ込んだ場合、狭いチャンネル断面のために、抵抗が生じる。液圧媒体は、チャンネルを通して押されなければならない。ここで、高い流速及び摩擦が生じ、そのために、エネルギを加えなければならない。このエネルギは、適用された移動（振動）から抽出される。油圧緩衝器の場合と同様に、減衰効果が生じる。たわみは減少する。
【００５８】
ツールホルダ／工作物ホルダのクランプ部が振動から抽出されたエネルギによって加熱される場合、前記熱は周囲に出力される。
【００５９】
特に、液圧式エキスパンションチャックなどの液圧でクランプ可能なツールホルダ、又は、液圧でクランプ可能なクランプアーバなどの工作物ホルダの場合に、チャンバシステムがクランプ部材の一部である場合、それは好都合である可能性がある。すなわち、中央スロットル点が、クランプチャンバであり、及び／又は、調整エレメントが、液圧でクランプ可能なツールホルダ／工作物ホルダの液圧式クランプシステムのクランプねじ／クランプピストンである場合である。
【００６０】
短く簡単に述べると、調整可能スロットル／中央スロットル点がクランプチャンバと同じである、又は、調整エレメント及びクランプねじ／クランプピストンが同じものである。
【００６１】
クランプねじ／クランプピストンが操作されると、液圧媒体は、液圧式クランプシステム、又は、（圧力）チャンバシステム／（圧力）チャンバに（知られている方法で）押され、その結果、クランプ部は変形する。クランプ部はクランプされる（「外向きに、又は、内向きに」）。クランプ操作の最後にかけて、中央スロットル点又はクランプチャンバに通じる供給チャンネルは、次いで、クランプねじ／調整エレメントによって実質的に閉じることができる。
【００６２】
調整エレメントが完全にねじ込まれた場合、そして、次に、供給チャンネルがクランプねじ／調整エレメントによって閉じることができた場合、それによって、個別の閉じたチャンバが形成され、それは、ツールホルダ／工作物ホルダにより大きい剛性をもたらす。
【００６３】
クランプねじ／調整エレメントと中央スロットル点又はクランプチャンバに通じる供給チャンネルとの間の小さい残りの断面のために、スロットル効果が生じる。
【００６４】
ここで、供給チャンネル自体も比較的大きな断面を有することができ、それは、製造がより簡単であるので有利である。
【００６５】
調整エレメントを含むチャンバシステム、略して全体システムが、不均衡ではない、すなわち、細かく均衡である場合も好都合である。ここで、チャンバ及び／又はチャンネルが対称的に配置される場合、特に好都合である。調整エレメントからの不均衡は、チャンバシステム及び／又はさらなるキャビティなどの他の「不均衡要素」の構成によって補償することができる。
【００６６】
調整エレメント又はクランプねじは、端位置まで必ず回転させる必要はない。調整エレメント又はクランプねじの位置に応じてスロットル断面を変えることができるように、調整エレメント又はクランプねじを構成することができる。
【００６７】
ツールホルダ／工作物ホルダでチャックされたツール／工作物によって負荷がかけられた場合、液圧媒体は、負荷をかけられた（圧力）チャンバからそれぞれの供給チャンネルを通って、中央スロットル点又はクランプチャンバの方向に流れ出ることができる。ここで、流れは、（供給チャンネル及び／又は中央スロットル点の）狭い点で抑えられる。クランプチャンバ又は中央スロットル点から、液圧媒体は、（圧力）チャンバへの供給チャンネルにさらに流れ込むことができ、いずれの場合にも、次に狭い点を通って、負荷から解放される。よって、剛性及び減衰作用の動的な増加とともに、ダブルスロットル効果が生じる。
【００６８】
特に、クランプ部内に複数又は多数のチャンバがある場合、記載されたチャンネルシステムに従って少なくとも２つのチャンネルシステムを提供することは好都合である可能性があり、次いで、少なくとも２つのチャンネルシステムの少なくとも２つの中央スロットル点の流れ断面は、単一の共通調整エレメント（のみ）使用して変更可能とすることができる。
【００６９】
つまり単一の調整エレメントは、少なくとも２つのチャンネルシステムの少なくとも２つのスロットル点を「操作／変更」する（そして、その流れ断面を変えることができる）。
【００７０】
すなわち、ツールホルダ／工作物ホルダ又はクランプ部は、多数の（圧力）チャンバを有し（よって、ある条件下では空間的理由のために、すべての供給チャンネルが単一の中央スロットル点に通じることを可能とすることはできない）、よって、好ましくは、（多数の供給チャンネルを有する）（「当初」）１つ（のみ）のチャンネルシステムは、（それぞれの、特に、個々の／個別の供給チャンネルに対応して減らした数を有する）２つ（以上）のチャンネルシステムの間で「分割することができる」ことを提供することができる。
【００７１】
次いで、分割に対応し、２つ以上の中央スロットル点が生じた場合、特に、（可能な２つ以上の調整エレメントの代わりに）特に、同時に、現在の２つ以上の中央スロットル点の流れ断面を変化させる１つ「のみ」の単一の調整エレメントをさらに提供することが好都合であることがある。
【００７２】
ここで、（ツールホルダ／工作物ホルダの長手方向軸に対して）互いに径方向にオフセットされるように、特に、同じ軸方向の高さでクランプ部に２つ以上の中央スロットル点を配置することは特に好都合である可能性がある。
【００７３】
次いで、（ツールホルダの長手方向軸に対して）互いに径方向にオフセットされて配置される、又は、（このような調整ねじに対して）互いに軸方向にオフセットされて配置される中央スロットル点についての流れ断面は、径方向に挿入可能な調整エレメント、たとえば、径方向ボアによって（外側から）クランプ部に径方向に螺合させることができる調整ねじによって（同時に）変えることができる。
【００７４】
ここで、調整エレメントのねじ込み方向は、ツールホルダ／工作物ホルダの長手方向軸に対して横方向にオフセットされてもよい。
【００７５】
ここで、このようなボアは、ボアと調整エレメント又は調整ねじとの間で、密封要素によって外側に対して密封することができる。
【００７６】
ここで、多数の（圧力）チャンバは、設計及び／又は構造的要件／状況に従って、１つ、２つ、又はそれ以上のチャンネルシステムに分割することができる。特に、構造的状況下で単純で省スペースのチャンネルルーティングは好都合である。
【００７７】
さらにまた、構造化された形態での、特に、対称的及び／又は規則的な構造での、クランプ部へのチャンバの配置も提供することができ、その結果、ツールホルダ／工作物ホルダ又はクランプ領域におけるツール／工作物の均一且つ中心にあるクランプを実現することができる。
【００７８】
このような構造は、たとえば、チャンバが、クランプ部において周方向に均一に分布するように、特に、ツールホルダ／工作物ホルダの長手方向軸に対して同心円状に配置される、及び／又は、チャンバが、１つ又は複数の、ツールホルダ／工作物ホルダの長手方向軸に対して垂直な平面においてクランプ部に配置されるということにも本質がある可能性がある。複数の垂直平面がチャンバに設けられた場合、前記垂直平面は、いずれの場合にも互いから同じ軸方向距離に特に配置することもできる。これは、特に平衡度に関して高品質を実現することを可能にする。
【００７９】
チャンバ構造のための多数の構成は、たとえば、（特許文献２）からわかる。
【００８０】
さらにまた、調整エレメント、特に、１つの単一の調整エレメントが、２つ以上の中央スロットル点の場合に、円錐部分又は複数の円錐部分を有する場合、それは好都合であることがある。ここで、円筒部分は、円錐部分の間に形成することができる。
【００８１】
次に、流れ断面が、中央スロットル点の前記円錐部分の位置移動によって変化する場合、それによって、剛性の非常に「敏感」且つ連続的な動的変化／適合をもたらすことができる。
【００８２】
上で与えられた本発明の有利な構成の説明は、個別の従属請求項で繰り返され、場合によっては、群に組み合わせられる多数の特徴を含む。しかしながら、当業者は便宜上、これらの特徴も個々に考慮し、それらを組み合わせて適切なさらなる組合せを与える。
【００８３】
いくつかの用語がいずれの場合にも、明細書及び／又は特許請求の範囲において、単数で、又は、数詞と組み合わせて使用されるとしても、本発明の範囲は、これらの用語に関して、単数又はそれぞれの数詞に限定することは意図されない。さらにまた、単語「１つの（a）」又は「１つの（an）」は、数詞としてではなく、むしろ不定冠詞として理解されることが意図される。
【００８４】
上記の本発明の特性、特徴、及び利点と、それらを実現する方法とは、図面との関連においてより詳細に説明される、本発明の例示的な実施形態の以下の説明との関連において、より明快且つ明確に理解できるであろう（同一の構成要素及び機能は、図面において同じ参照符号を有する）。
【００８５】
例示的な実施形態は、本発明を説明するために使用され、本発明を、説明に記載された特徴の組合せには限定せず、機能的特徴に関しても限定しない。この目的のために、各例示的な実施形態の適切な特徴を、明確に分離して考察し、１つの例示的な実施形態から外し、別の例示的な実施形態にその捕捉のために導入し、任意の請求項と組み合わせることもさらに可能である。
【図面の簡単な説明】
【００８６】
【図１】第１の実施形態による液圧でクランプ可能なツールホルダのクランプ部の断面を示す。
【図２】第２の実施形態による液圧でクランプ可能なツールホルダのクランプ部の断面を示す。
【図３】第３の実施形態による液圧でクランプ可能なツールホルダのクランプ部の断面を示す。
【図４】２つの中央スロットル点のための調整ねじを有する、図３によるツールホルダのカットアウトを示す。
【図５】一体型の調整／クランプねじを有する、修正されたツールホルダのカットアウトを示す。
【図６】ある実施形態による液圧でクランプ可能な工作物ホルダのクランプ部の断面を示す。
【発明を実施するための形態】
【００８７】
図１〜図５に従って以下で説明される実施形態は、液圧でクランプ可能なツールホルダ１（以下では略して単に、ツールホルダ１）に関し、それらは、一般に、液圧式エキスパンションチャックとしても知られている。ミリングカッタなどのツールは、このようなツールホルダによって液圧でチャックされる（示されていない）。
【００８８】
このために、液圧式クランプ部材は、このようなツールホルダ１の、以下でクランプ部２とも呼ばれるスリーブ部内に配置され、前記クランプ部材は、たとえば、油などの液圧媒体によって増大させる／生じさせることができる液圧が加えられたとき、ツールシャンクのまわりに係合するその内径を減少させ、そうして、ツールシャンクを摩擦でチャックする。
【００８９】
下記のツールホルダ１のクランプ部２は、熱溶解積層法によって作成される。
【００９０】
図１は、このようなツールホルダ１のクランプ部２の、（液圧でクランプ可能なツールホルダ１の長手方向軸９（さらに回転軸）に対する）垂直断面を示す。
【００９１】
図１が示すように、長手方向軸９に対して同心円状に環状部の形状である２つの（個別の）対称的な（圧力）チャンバ３は、クランプ部２の内側に形成され、前記（圧力）チャンバ３は、ツールホルダの長手方向軸９に対して同心円状にクランプ部２内で軸方向に延在している。
【００９２】
２つのチャンバ３は、図１がまた示すように、（断面にある）チャンネルシステム４を介して互いに流体的に接続されている。すなわち、２つのチャンバは、チャンネルシステム４（及び、下記の中央スロットル点５）を介して、互いに流体接続されている。油などの液圧媒体／液圧流体１０は、チャンネルシステム４（及び、中央スロットル点５）を介して、２つのチャンバ３の間であちこちに流れることができる。
【００９３】
よって、チャンバ３及びチャンネルシステム４は、ツールホルダ１にチャンバシステム１３も形成する。
【００９４】
図１がまた示すように、チャンネルシステム４は、特定の部分を取り囲む同心ボアの形態の、２つの供給チャンネル８を提供し、２つの供給チャンネル８のそれぞれは、２つのチャンバ３のうちの１つをチャンネルシステム４の中央（スロットル）点５に接続し（「個別の供給チャンネル」）、その中央スロットル点５を介して、液圧媒体１０は、２つのチャンバ３の間であちこちに流れることができる（又は、流れる必要がある）。
【００９５】
図１にも示されるように、中央スロットル点５は、径方向に延びる円筒状キャビティとして設計され、チャンバ３の２つの供給チャンネル８が横方向に通じている。
【００９６】
その位置で調整可能である、調整ねじの形態の調整エレメント６は、キャビティ又は中央スロットル点５に突出している。
【００９７】
中央スロットル点５を外部に接続して、雌ねじ１２を有する径方向ボア１１を介して、調整ねじ６は、ボア１１に、よってキャビティ／中央スロットル点５にねじ込むことができる、そして、調整ねじ６は、ボア１１から、よってキャビティ／中央スロットル点５から取り外すことができる。よって、チャンネルシステム４はまた、調整ねじ６を介して外部に対して気密に閉じられている。シール２０は、この目的のために設けることもできる。
【００９８】
ここで、調整ねじ５（よって、さらに雌ねじ１２を有する径方向ボア１１）の直径は、中央スロットル点／キャビティ５の直径より小さく、その結果、チャンバシステム１３の液圧媒体１０が「あちこち流れる」ことは維持される（中央スロットル点５の可変流れ抵抗の場合）。
【００９９】
中央スロットル点５の流れ断面７は、調整ねじをねじ込む又はゆるめることによって変化するが、中央スロットル点５を介したチャンネルシステム４の流れを完全に抑制することはない。
【０１００】
中央スロットル点５の内部は、示されたものと異なり、（少なくとも部分的に）径方向に延びる中空円錐として設計されていてもよい。調整ねじ６はまた、（中空円錐に対応する）円錐形に／円錐形状に（少なくとも部分的に）形成することができる。
【０１０１】
２つのチャンバ３、及び、調整ねじ６によってその流れ断面が調整可能／変更可能である前記チャンネルシステムのスロットル点５を接続するチャンネルシステム４に関係なく、ツールホルダ１のチャンバシステムは、（それ自体は従来のものである）チャンバシステムに流体接続もされている、圧力チャンバ（示されていない）も提供し、ツールホルダ１をクランプするための圧力を増大させるための、及びツールホルダ１をクランプするための、そこに配置される外部に作動可能なクランプねじ／クランプピストンを有する（示されていない）。
【０１０２】
この目的のために、たとえば、ツールホルダ１の２つのチャンバ３のうちの１つは、さらなる（圧力）チャンネルを介して、クランプチャンバに接続させることができる（示されていない）。
【０１０３】
クランプねじ／クランプピストンの作動によって、液圧媒体はチャンバシステム１３に押し込まれて、（クランプ）圧力は増大される、その結果、クランプ部２、すなわち、特に、スリーブ部の内壁は、受入開口の方へ内側に弓形になる。
【０１０４】
ツールホルダ１は、調整ねじ６によってもたらすことができる流れ断面の変化、特に、中央スロットル点５内の／での流れ断面の狭小化によって、中央スロットル点５内の／での液圧媒体１０の流れ抵抗を変えることができる、特に、増加させることができる（「調整可能であるスロットル」）という考慮事項に基づく。
【０１０５】
ツールホルダ１のクランプ部２を構成するチャンバ３が、（個別の供給チャンネルによって強制される）それらのチャンネルシステム４に、中央スロットル点５を介して（流体）流れ接続している場合、中央スロットル点５内の／でのこのような流れ抵抗の変化又は増加は、ツールホルダ１の剛性の動的変化又は剛性の増加に関連する。
【０１０６】
さらにまた、図１が示すように、供給チャンネル８の断面がチャンバ３の断面に対して小さい（同じことが中央スロットル点５にも適用される）場合、ツールホルダ１の対応する負荷（及び、たわみ）の場合には、液圧媒体は、１つのチャンバ３からその狭い供給チャンネル８に押し込まれ、狭いチャンネル断面のために抵抗が生じる。液圧媒体１０は、供給チャンネル８を通して押さなければならない。ここで、高い流速及び摩擦が生じ、その目的のために、エネルギを加えなければならない。このエネルギは、適用された移動（振動）から抽出される。油圧緩衝器の場合と同様に、減衰効果が生じる。たわみは減少する。
【０１０７】
図２は、ツールホルダ１のさらなる実施形態を示し、ここでも、ツールホルダ１のクランプ部２の垂直断面を示す。
【０１０８】
本実施形態は、チャンバシステム１３の構成のみ、（図１による）第１の実施形態と異なる。
【０１０９】
その他の点では、ツールホルダ１は、前で詳細に記載した実施形態のように構築され、したがって、相互に対応する部分も同じ参照符号が提供される。その説明に関しては、第１の実施形態を参照する。ここでは、第１の実施形態によるツールホルダ１に関しての対応する効果も生じる。
【０１１０】
図２が示すように、長手方向軸９に対して同心円状に均一に分布し、環状部の形状であり、ツールホルダの長手方向軸９に対して軸方向にクランプ部２内で延在する３つの（個別の）（圧力）チャンバ３は、ツールホルダ１のクランプ部２の内側に形成されている。
【０１１１】
３つのチャンバ３は、（断面にある）チャンネルシステム４を介して互いに流体的に接続されている。すなわち、３つのチャンバ３は、チャンネルシステム４（及び、中央スロットル点５）を介して、互いに流体接続されている。油などの液圧媒体／液圧流体１０は、チャンネルシステム４（及び、中央スロットル点５）を介して、３つのチャンバ３の間であちこちに流れることができる。
【０１１２】
ここでも、チャンバ３及びチャンネルシステム４は、ツールホルダ１にチャンバシステム１３も形成する。
【０１１３】
図２がまた示すように、チャンネルシステム４は、いくつかの部分を取り囲む同心ボアの形態の、３つの供給チャンネル８を提供し、供給チャンネル８のそれぞれは、３つのチャンバ３のうちの１つをチャンネルシステム４の中央（スロットル）点５に接続し（「個別の供給チャンネル」）、その中央スロットル点５を介して、液圧媒体１０は、３つのチャンバ３の間であちこちに流れることができる（又は、流れる必要がある）。
【０１１４】
中央スロットル点５は、図２にも示されているように、径方向に延びる円筒状キャビティとして設計され、チャンバ３の３つの供給チャンネル８が横方向に通じている。
【０１１５】
その位置で調整可能である、調整ねじの形態の調整エレメント６は、キャビティ又は中央スロットル点５に突出している。
【０１１６】
中央スロットル点５を外部に接続して、雌ねじ１２を有する径方向ボア１１を介して、調整ねじ６は、ボア１１に、よってキャビティ／中央スロットル点５にねじ込むことができる、そして、調整ねじ６は、ボア１１から、よってキャビティ／中央スロットル点５から取り外すことができる。よって、チャンネルシステム４はまた、調整ねじ６を介して外部に対して気密に閉じられている。
【０１１７】
ここで、調整ねじ５（よって、さらに雌ねじ１２を有する径方向ボア１１）の直径は、中央スロットル点／キャビティ５の直径より小さい。
【０１１８】
中央スロットル点５の流れ断面７は、調整ねじをねじ込む／ゆるめることによって変化するが、中央スロットル点５を介したチャンネルシステム４の流れを完全に抑制することはない。
【０１１９】
ここでも、特定の動剛性及び減衰特性がツールホルダ１で生じる。
【０１２０】
前記第２の実施形態と代替的に、３つのチャンバ３のうちの１つを、３つのチャンバ３のうちの第２のチャンバ３を介して、中央スロットル点５に間接的にのみ接続することも提供することができる（示されていない）。この場合、供給チャンネル８は、この１つの間接的に接続されたチャンバ３を、第２のチャンバ３に接続し、中央スロットル点５に（直接）接続しない。
【０１２１】
さらに、代わりに、記載されたような、このようなチャンネルシステム４及び中央スロットル点５を介して互いに接続される４つ又はさらに多くのチャンバ３を、ツールホルダ１に設けることも可能である。
【０１２２】
図３も、ツールホルダ１のさらなる実施形態を示し、ここでは、ツールホルダ１のクランプ部２の概略の長手方向断面／軸方向断面を示す。図４は、垂直断面における図３によるツールホルダの関連するカットアウトを示す。
【０１２３】
本実施形態は同様に、チャンバシステム１３の構成が、（図１による）第１の実施形態と異なる。チャンバシステム１３は本事例では、２つのチャンネルシステム４及び４’を有する（第２のチャンネルシステムの構成要素は「’」によって識別される）。
【０１２４】
その他の点では、ツールホルダ１は、前で詳細に記載した実施形態のように構築され、したがって、相互に対応する部分（「’」が続くものも）も同じ参照符号が提供される。その説明に関しては、第１の実施形態を参照する。ここでは、第１の実施形態によるツールホルダ１の場合に対応する効果も生じる。
【０１２５】
図３が示すように、長手方向軸９に対して同心円状に均一に分布し、環状部の形状である２つの（個別の）（圧力）チャンバ３及び３’は、いずれの場合にも、ツールホルダ１のクランプ部２の内側に、２つの軸方向の高さ／平面で形成され、前記（圧力）チャンバ３及び３’は、ツールホルダの長手方向軸９に対してクランプ部２内で軸方向に延在している（参照、軸方向の高さ／平面に対して図１と同じように）。
【０１２６】
各事例における２つのチャンバ３及び３’の軸方向の高さは、いずれの場合にも、チャンネルシステム４及び４’を介して互いに流体的に接続されている（図３及び図４参照）。すなわち、軸方向高さの２つのチャンバ３及び３’は、チャンネルシステム４及び４’（及び、それぞれの中央スロットル点５及び５’）を介して、互いに流体接続されている。油などの液圧媒体／液圧流体１０は、（軸方向の高さ／平面の各事例において）チャンネルシステム４及び４’（及び、中央スロットル点５及び５’）を介して、チャンバ３と３’との間であちこちに流れることができる。
【０１２７】
ここでも、チャンバ３／３’及びチャンネルシステム４／４’は、ツールホルダ１にチャンバシステム１３も形成する。
【０１２８】
図３がまた示すように、チャンネルシステム４及び４’は（いずれの場合にも）、いくつかの部分で軸方向に延びるボア、さらにいくつかの部分を取り囲む同心ボアの形態の、２つの供給チャンネル８及び８’を提供し、供給チャンネル８及び８’のそれぞれは、２つのチャンバ３及び３’のうちの１つを、チャンネルシステム４及び４’のそれぞれの中央（スロットル）点５及び５’に接続し（図３及び図４）、その中央スロットル点５及び５’を介して、それによって、液圧媒体１０は、２つのチャンバ３と３’との間であちこちに流れることができる。
【０１２９】
図４に示されるように、２つの中央スロットル点５及び５’は、（共通の）径方向に延びる円筒形キャビティ１５として設計され、各事例において、チャンバ３及び３’の２つの供給チャンネル８及び８’が横方向に通じている。
【０１３０】
その位置で調整可能である、調整ねじの形態の、共通調整エレメント６は、（１つの共通）キャビティ１５又は２つの中央スロットル点５及び５’に突出している。
【０１３１】
２つのチャンネルシステム４及び４’は、２つの中央スロットル点５と５’との径方向間に共通キャビティ１５に配置されたシール１４によって、密封されて、互いに分離されている。よって、この点において、チャンバシステム１３に位置する液圧媒体１０は、いずれの場合にも、２つのチャンバ３と３’との間の１つのチャンネルシステム４又は４’においてのみ中央スロットル点５又は５’を介してあちこちに流れることができる。しかし、２つのチャンネルシステム４と４’との間ではない。
【０１３２】
共通キャビティ１５を外部に接続して、雌ねじ１２を有する径方向ボア１１を介して、調整ねじ６は、ボア１１に、さらに共通キャビティ１５又は２つの中央スロットル点５及び５’にねじ込むことができる、そして、調整ねじ６は、ボア１１から、さらに共通キャビティ１５又は２つの中央スロットル点５及び５’から取り外すことができる。よって、チャンバシステム１３又はチャンネルシステム４及び４’は、調整ねじ６を介して外部に対して気密に閉じられている。
【０１３３】
図４が示すように、共通調整ねじ５は、いくつかの部分における円筒部分（１６、１７）と、（円筒部分１６、１７と交互に並ぶ）円錐部分（１８、１９）とを有し、共通調整ねじ６は、円錐部分１８及び１９が共通キャビティ１５への供給チャンネル８及び８’の開口の領域にあるように（共通キャビティ１５に対して）形成される（共通キャビティ１５への共通調整ねじ５のねじ込み深さとは全く実質的に無関係に）。
【０１３４】
２つのチャンネルシステム４及び４’を互いに密封するシール１４は、共通調整ねじ５の円筒部分１７にあり、その円筒部分は、共通調整ねじ５の２つの円錐部分１８と１９との間に形成されている。
【０１３５】
共通調整ねじ５はさらに、その長さについて、共通キャビティ１５に完全にねじ込まれた場合に、キャビティ底部までの距離が残っているように形成されている。
【０１３６】
共通調整ねじ５の、少なくとも円錐部分１８及び１９、並びに間に位置する円筒部分１７の領域において、調整ねじ５の直径は、共通キャビティ１５又は中央スロットル点５及び５’の直径より小さい。すなわち、（中央スロットル点５及び５’の領域において）共通調整ねじ６と共通キャビティ１５との間に間隙が残り、その間隙を介して、液圧媒体は、それぞれのチャンネルシステム４又は４’のチャンバ３又は３’の間であちこち流れることができる。
【０１３７】
中央スロットル点５及び５’の流れ断面７及び７’は、共通調整ねじ６をねじ込む又はゆるめることによって変化するが、チャンネルシステム４及び４’の流れは中央スロットル点５及び５’を介して完全には抑制されない。
【０１３８】
ここでも、特定の動剛性及び減衰特性がツールホルダ１で生じる。
【０１３９】
図３及び図４によるツールホルダ１の前記チャンバ構造と代替的に、軸平面につき２つ超のチャンバ３（３’）、２つ超のチャンバ平面、クランプ領域２の他の供給チャンネルプロファイル、及び／又は、（非対称に分布する偶数のチャンバ３（３’）を有する）任意の他の偶数の非対称チャンバ装置を有するチャンバ構造を提供することもできる。
【０１４０】
図５は、図３及び図４によるツールホルダ１の実施形態の変更を示し、その変更されたツールホルダは、そのチャンバシステム１３に関して、図３及び４によるツールホルダ１の実施形態によるチャンバシステム１３と同一であり（チャンバの数／配置／接続）、したがって、相互に対応する部分（「’」が続くものさえ）も同じ参照符号が提供される。その説明に関しては、第１の実施形態を参照する。ここでは、第１の実施形態によるツールホルダ１の場合に対応する効果も生じる。
【０１４１】
ツールホルダ１の実施形態は、図５が明らかにするように、ここで（構造的に且つ機能的に）一体型のクランプチャンバ／中央スロットル点５として形成された共通キャビティ１５の構成に対して修正を受ける。
【０１４２】
よって、共通調整ねじ６は、ツールホルダ１のクランプシステムのクランプねじ（クランプピストンによる）にもなる。
【０１４３】
図５が（図４に対応して）示すように、シール１４が、（図４又は図４によるツールホルダ１の実施形態に対して）共通キャビティ１５に存在しない、その結果、チャンバ３及び３’のすべてが、共通キャビティ１５を介して流体的に（直接）接続されている。液圧媒体１０は、共通キャビティ１５（よって、再び、２つの中央スロットル点５及び５’の代わりに、ただ１つの中央スロットル点５又は５’）（同様に、２つのチャンネルシステム４及び４’の代わりに、１つのチャンネルシステム４又は４’）を介して、すべてのチャンバ３及び３’の間であちこちに流れることができる。
【０１４４】
共通調整ねじ６（ここでは、さらにクランプねじ／クランプピストン）が作動すると、液圧媒体１０は、液圧式クランプシステム、すなわち、チャンバシステム１３に（知られている方法で）押し込まれ、その結果、本事例では、ツールホルダ１の場合、流れ断面の縮小が共通キャビティ１５においてもたらされる。クランプ部２はクランプされる。
【０１４５】
ここで、共通調整ねじ６と共通キャビティ１５又は中央スロットル点５（５’）に通じる供給チャンネル８又は８’との間の小さい残りの断面のために、同時のスロットル作用が生じる。
【０１４６】
図１〜５に従って提供されたツールホルダと代替的に、これらの実施形態は、工作物ホルダとしても提供することができる。
【０１４７】
図６に従って以下で説明される例示的な実施形態は、液圧でクランプ可能な工作物ホルダ１（以下では略して単に、工作物ホルダ１）に関する。それは、一般に、液圧でクランプ可能なクランプアーバとしても知られている。工作物は、このような工作物ホルダによって液圧でチャック又は保持される（示されていない）。
【０１４８】
このために、液圧式クランプ部材は、このような工作物ホルダ１の、以下でクランプ部２とも呼ばれるスリーブ部内に配置され、前記液圧式クランプ部材は、たとえば、油などの液圧媒体によって増大させる／生じさせることができる液圧が加えられたとき、その外径を増加させ、そうして、スリーブ部の上にある工作物を摩擦でクランプする。
【０１４９】
下記の工作物ホルダ１のクランプ部２は好ましくは、熱溶解積層法によって作成される。
【０１５０】
図６は、このような工作物ホルダ１のクランプ部２の、（液圧でクランプ可能な工作物ホルダ１の長手方向軸９に対する）垂直断面を示す。
【０１５１】
図６が示すように、長手方向軸９に対して同心円状に環状部の形状である２つの（個別の）対称的な（圧力）チャンバ３は、クランプ部２の内部に形成され、前記（圧力）チャンバは、工作物ホルダの長手方向軸９に対して同心円状にクランプ部２内で軸方向に延在している。
【０１５２】
図６がまた示すように、２つのチャンバ３は、（断面にある）チャンネルシステム４を介して互いに流体的に接続されている。すなわち、２つのチャンバは、チャンネルシステム４（及び、下記の中央スロットル点５）を介して、互いに流体接続されている。油などの液圧媒体／液圧流体１０は、チャンネルシステム４（及び、中央スロットル点５）を介して、２つのチャンバ３の間であちこちに流れることができる。
【０１５３】
よって、チャンバ３及びチャンネルシステム４は、工作物ホルダ１にチャンバシステム１３も形成する。
【０１５４】
図６がまた示すように、チャンネルシステム４は、いくつかの部分を取り囲む同心ボアの形態の、２つの供給チャンネル８を提供し、２つの供給チャンネル８のそれぞれは、２つのチャンバ３のうちの１つをチャンネルシステム４の中央（スロットル）点５に接続し（「個別の供給チャンネル」）、その中央スロットル点５を介して、液圧媒体１０は、２つのチャンバ３の間であちこちに流れることができる（又は、流れる必要がある）。
【０１５５】
図６にも示されるように、中央スロットル点５は、径方向に延びる円筒状キャビティとして設計され、チャンバ３の２つの供給チャンネル８が横方向に通じている。
【０１５６】
その位置で調整可能である、調整ねじの形態の調整エレメント６は、キャビティ又は中央スロットル点５に突出している。
【０１５７】
中央スロットル点５を外部に接続して、雌ねじ１２を有する径方向ボア１１を介して、調整ねじ６は、ボア１１に、よってキャビティ／中央スロットル点５にねじ込むことができる、そして、調整ねじ６は、ボア１１から、よってキャビティ／中央スロットル点５から取り外すことができる。よって、チャンネルシステム４はまた、調整ねじ６を介して外部に対して気密に閉じられている。シール２０は、この目的のために設けることもできる。
【０１５８】
ここで、調整ねじ５（よって、さらに雌ねじ１２を有する径方向ボア１１）の直径は、中央スロットル点／キャビティ５の直径より小さく、その結果、チャンバシステム１３の液圧媒体１０が「あちこち流れる」ことは維持される（中央スロットル点５の可変流れ抵抗の場合）。
【０１５９】
中央スロットル点５の流れ断面７は、調整ねじをねじ込む又はゆるめることによって変化するが、中央スロットル点５を介したチャンネルシステム４の流れを完全に抑制することはない。
【０１６０】
中央スロットル点５の内部は、示されたものと異なり、（少なくとも部分的に）径方向に延びる中空円錐として設計することもできる。調整ねじ６はまた、（中空円錐に対応する）円錐形に／円錐形状に（少なくとも部分的に）設計することができる。
【０１６１】
２つのチャンバ３、及び、調整ねじ６によってその流れ断面が調整可能／変更可能であるそのスロットル点５を接続するチャンネルシステム４に関係なく、工作物ホルダ１のチャンバシステムは、（それ自体は慣例的なものである）チャンバシステムに流体接続もされている、圧力チャンバ（示されていない）も提供し、工作物ホルダ１をクランプするための圧力を増大させるための、及び工作物ホルダ１をクランプするための、そこに配置されて、外側から作動可能であるクランプねじ／クランプピストンを有する（示されていない）。
【０１６２】
この目的のために、たとえば、工作物ホルダ１の２つのチャンバ３のうちの１つは、さらなる（圧力）チャンネルを介して、クランプチャンバに接続させることができる（示されていない）。
【０１６３】
クランプねじ／クランプピストンの作動によって、液圧媒体はチャンバシステム１３に押し込まれて、（クランプ）圧力は増大される、その結果、クランプ部２、すなわち、特に、スリーブ部の外壁は、外側に弓形になる。
【０１６４】
或いは、スリーブ部の対応する構成では、工作物は内向きにクランプすることもできる。
【０１６５】
さらにまた、図６によって提供された工作物ホルダと代替的に、本実施形態は、ツールホルダとしても提供することができる。
【０１６６】
本発明が好ましい例示的な実施形態によって詳細にさらに具体的に示されて、説明されたが、本発明は、開示された例によって限定されず、他の変形形態は、本発明の保護の範囲を逸脱しない限り、それから導き出すことができる。
【符号の説明】
【０１６７】
１  ツール／工作物を液圧でクランプするための装置、液圧でクランプ可能なツールホルダ／工作物ホルダ
２  クランプ部
３、３’  チャンバ
４、４’  チャンネルシステム
５、５’  中央スロットル点
６  （共通）調整エレメント、（共通）調整ねじ
７、７’  流れ断面
８、８’  供給チャンネル
９  長手方向軸
１０  液圧媒体、油
１１  （径方向）ボア
１２  雌ねじ
１３  チャンバシステム
１４  シール
１５  共通キャビティ
１６  円筒部分
１７  円筒部分
１８  円錐部分
１９  円錐部分
２０  シール
【図１】
2020183031.tif 000003
【図２】
2020183031.tif 000004
【図３】
2020183031.tif 000005
【図４】
2020183031.tif 000006
【図５】
2020183031.tif 000007
【図６】
2020183031.tif 000008
【外国語明細書】
2020183031000001.pdf